(57)【要約】【課題】    災害非常時において、十分な防災装備を迅速に整え得るようにした防災服を提供する。【解決手段】  上着服１の背部１ａの外表面上に、収納バッグ２を一体的に取付ける。係る構成によれば、予め所要の防災用品を収納バッグ２に収納してこれを常備しておけば、地震等の災害が発生した場合には、上着服１を着用すれば、それだけで防災用品等の持ち出しと、身体を保護する防災服装を、極めて短時間で且つ確実に確保し、避難場所へ安全に且つ迅速に避難することができ、災害非常時における高い防災性が担保される。また、上着服１の背部１ａに上記収納バッグ２が一体的に取付けられており、災害非常時には何等迷うことなく上着服１を着用すれば良いため、避難に際して精神的な余裕をもつことができ、延いては避難経路における安全性にも十分に気を配ることができ、その結果、防災性の更なる向上が期待できる。【選択図】        図１
2007070781.tif 000002
【特許請求の範囲】
【請求項１】
上着服（１）の背部（１ａ）の外表面上に、収納バッグ（２）を一体的に取付けて構成されたことを特徴とする防災服。
【請求項２】
請求項１において、
上記収納バッグ（２）の上端部（２ａ）と下端部（２ｂ）の間に跨ってベルト（３）が取付けられるとともに、該ベルト（３）は、少なくとも上記上着服（１）の肩部（１ｂ）より前側部位において該上着服（１）に固定されていることを特徴とする防災服。
【発明の詳細な説明】
【技術分野】
【０００１】  本願発明は、地震とか風水害等の災害非常時に用いるに好適な防災服に関するものである。
【背景技術】
【０００２】  近年、身近で発生し、あるいは発生することが予想される地震とか風水害等の災害に対する国民の防災意識が殊の外高まっており、これを背景として、防災関連の技術が種々提案されている。【０００３】  例えば、特許文献１には、災害非常時においては、防災用品の搬送性が重要であることを考慮して、災害非常時における防災用品の搬送性と、平常時における保管性を兼ね備えた防災用ショルダーキャリヤが提案されている。この提案には、防災用品の搬送は非常時の緊迫した状況下で迅速且つ確実に行う必要があり、係る場合には、手に持って搬送するよりも、背負って搬送するのが最適、との思想が基礎となっている。【０００４】  特許文献２には、防災用の背負い鞄に関するもので、該鞄を多目的化し、ここに防災保護帽とかマントを収納可能としたものである。この提案は、背負いによる搬送性の確保と、避難時における身体の保護とを考慮したものである。【０００５】  特許文献３には、主として、外出時における災害発生を考慮し、平常時には防災服を鞄の外側に折り畳んで収納しておき、災害発生時には防災服を鞄から取り外して着用するとともに、鞄を肩に掛けるとか、背負うようにしたものである。【０００６】  尚、この他に、一般家庭においては、災害非常時を想定して、防災袋を用意し、これに非常食とか懐中電灯等の非常時用備品を収納して常備することが広く行われている。【０００７】
【特許文献１】  特開平０９−２９４６３０号公報
【特許文献２】  特開平１０−１１７８２６号公報
【特許文献３】  実願平８−３６３１号公報。
【発明の開示】
【発明が解決しようとする課題】
【０００８】  ところで、地震等の災害は、時季とか時間を選ばず、昼間に限らず、深夜においても突然に発生するのが常であり、場合によっては就寝中に発生し且つ直ちに避難することが必要となることも有り得る。そして、災害発生時の避難行動は、安全に且つ迅速的確に行うことが必要である。【０００９】  しかし、通常は、災害の発生によって気持ちが動揺し、平静な思考が妨げられることが多いことは周知のことである。従って、例えば、特許文献１〜３に記載のような防災用具を準備していたとしても、これを完全に近い状態で活用することは難しく、例えば、深夜就寝中における災害の発生で、荷物は背負ったものの、服装を整える精神的あるいは時間的な余裕が無く、寒空に防寒性及び防護性のない軽装で飛び出し、結果的に、被災するというようなことも起こり得る。【００１０】  係る事態を想定すれば、できるだけ短時間で所要の防災用具を携えて、且つ十分な防災服装で避難できるような手段の開発が要請されるところであるが、これに応え得る有効な手段は未だ提案されていないというのが実情である。【００１１】  そこで本願発明は、災害非常時において、十分な防災装備を迅速に整え得るようにした防災服を提供することを目的としてなされたものである。
【課題を解決するための手段】
【００１２】  本願発明では、上記課題を解決するために以下のような構成を採用している。【００１３】  本願の第１の発明に係る防災服は、上着服１の背部１ａの外表面上に、収納バッグ２を一体的に取付けて構成したことを特徴としている。【００１４】  本願の第２の発明では、上記第１の発明に係る防災服において、上記収納バッグ２の上端部２ａと下端部２ｂの間に跨ってベルト３を取付けるとともに、該ベルト３を、少なくとも上記上着服１の肩部１ｂより前側部位において該上着服１に固定したことを特徴としている。
【発明の効果】
【００１５】  （ａ）  本願の第１の発明に係る防災服によれば、上着服１の背部１ａの外表面上に、収納バッグ２を一体的に取付けているので、予め所要の防災用品を上記収納バッグ２に収納してこれを常備しておけば、例えば、突発的に、いつ何時、地震等の災害が発生した場合であっても、上記上着服１を着用すれば、それだけで防災用品等の持ち出しと、身体を保護する防災服装を、極めて短時間で且つ確実に確保して、避難場所へ安全に且つ迅速に避難することができ、災害非常時における高い防災性が担保される。【００１６】  また、この場合、上着服１の背部１ａに上記収納バッグ２が一体的に取付けられており、災害非常時には何等迷うことなく上記上着服１を着用すれば良いことから、避難に際して精神的な余裕をもつことができ、延いては避難経路における安全性にも十分に気を配ることができ、その結果、防災性の更なる向上が期待できる。【００１７】  （ｂ）  本願の第２の発明に係る防災服によれば、上記収納バッグ２の上端部２ａと下端部２ｂの間に跨ってベルト３を取付けているので、上記収納バッグ２が上記上着服１の背部１ａに一体的に取付けられているにも拘わらず、該収納バッグ２に収納された防災用品等の重みは上記ベルト３を介して直接的に人の肩部分において支持され、該防災用品等の重みによって上記上着服１がその背部１ａ側へ引き寄せられるということがなく、上記上着服１の安定した着心地が得られるとともに、迅速且つ安全な避難行動が確保される。【００１８】  さらに、この場合、上記ベルト３を、少なくとも上記上着服１の肩部１ｂより前側部位において該上着服１に固定しているので、上着服１を着用する場合においては、上記ベルト３の掛止位置を確認あるいは調整する必要がなく、該上着服１の着用をより迅速に行うことができるとともに、避難途中においては、上記ベルト３が肩部分から外れて上記上着服１に収納バッグ２に収納された防災用品等の重みが掛かるというようなことが確実に防止される。
【発明を実施するための最良の形態】
【００１９】  図１〜図３には、本願発明の実施形態に係る防災服Ｚを示している。【００２０】  Ａ：防災服Ｚの構成
この防災服Ｚは、次述の上着服１と収納バッグ２を備えて構成されている。【００２１】  上記上着服１は、難燃性素材を用いて縫製されたもので、適度の防水性と防寒性を備えるとともに、着用者の頭部に対応する部位にはフード１５が一体的に設けられている。また、この上着服１の前部１ｃ側には、防災用品の収納性を考慮して、比較的大きな左右一対のポケット１１と、これより小さなポケット１２を設けている。尚、ここでは図示しないが、上着服１の裏面側にも複数のポケットが設けられている。【００２２】  また、上記上着服１の前部１ｃにおいて縦方向に設けられた合せ部５５には、ファスナー１３が取付けられるとともに、所定間隔で貼着テープ１４が取付けられている。これは、本来的には上記ファスナー１３によって左右の前身頃同士を噛着固定するが、災害非常時においては時間的余裕も少ないことから、上記貼着テープ１４を補助固定手段とし、該貼着テープ１４によって迅速に固定できるようにしたものである。尚、上記上着服１の左の腕部５４には、反射テープ１６が取付けられている。【００２３】  一方、上記１の背部１ａには、次述の収納バッグ２が一体的に取付けられている。即ち、上記収納バッグ２は、災害非常時に所要の防災用品を収納して避難時に持ち出すものであって、図２及び図３に示すように、所定大きさの縦長形体をもち、その上部側にチャック式の収納開口２４が設けられており、該収納開口２４から防災用品の収納・取出を行うようになっている。【００２４】  また、この収納バッグ２の表面側には、収納開口２５を備えたポケット２２と収納開口２６を備えたポケット２３が設けられており、これら各ポケット２２，２３にも防災用品を収納できるようになっている。【００２５】  このように構成された上記収納バッグ２は、その背面を上記上着服１の背部１ａに衝合させた状態でその外周縁を縫合することで、該上着服１の背部１ａと一体化されている。従って、上記上着服１を着用することで、自動的にその背部１ａに上記収納バッグ２を背負うことになる。【００２６】  しかし、このように、上記上着服１の背部１ａに上記収納バッグ２を縫合固定した状態のままでは、該収納バッグ２内に防災用品を収納した状態で上記上着服１を着用すると、上記収納バッグ２側の重みが直接上着服１の背部１ａに伝達され、該背部１ａは、上着服１の前部１ｃ側を肩部１ｂから後方側へ引き寄せながら下方へ引き下げられる状態となり、上記上着服１の適正な着用状態が維持できなくなるとともに、上記収納バッグ２を確実に支持することが困難になることも考えられる。【００２７】  そのため、この実施形態の防災服Ｚでは、上記収納バッグ２の上面部２ａと、下部両端部２ｂ、２ｂの間に跨って、左右一対のベルト３，３を取付けている。このベルト３は、その一端が上記収納バッグ２の上部２ａに縫合固定されるとともに、該上部２ａから上記上着服１の肩部１ｂ上を、背部１ａ側から前部１ｃ側に跨って配置されるクッション性をもつ肩掛部３１と、該肩掛部３１の他端と上記収納バッグ２の下端２ｂの間に跨って配置されるとともに、その中間には長さ調整用の調整具３３を備えた張込部３２を備えて構成される。そして、上記肩掛部３１の他端部（即ち、���記張込部３２との接合部）を上記上着服１の前部１ｃに縫合固定して、これを固定部３４としている。【００２８】  尚、ここでは、上記固定部３４においてのみ上記ベルト３を上記上着服１側に固定するようにしたが、本願発明は係る構成に限定されるものではなく、少なくとも上記固定部３４において上記上着服１側に固定されていれば良く、例えば、上記肩掛部３１の全域を上記上着服１側に固定するようにも構成できるものである。【００２９】  Ｂ：防災服Ｚの使用方法等
ここで、上述のように構成された上記防災服Ｚの使用方法等を説明する。【００３０】  上記防災服Ｚは、予め、上記収納バッグ２内に災害非常時用の防災用品を収納した状態で、所定場所に常備しておく。【００３１】  そして、もし、地震とか風水害等の災害が発生して避難の必要が生じたような場合には、避難者は、常備された防災服Ｚを取り出し、その合せ部５５を開いてこれを着用し、且つ上記各ベルト３の長さ調整をして上記収納バッグ２を安定させれば良い。【００３２】  このように、上記防災服Ｚを着用すると、その上着服１の背部１ａ側に上記収納バッグ２が一体的に取付けられているので、それだけで防災用品等の持ち出しと、身体を保護する防災服装を、極めて短時間で且つ確実に確保することができる。従って、避難場所へも安全に且つ迅速に避難することができ、これによって災害非常時における高い防災性が担保されることになる。【００３３】  特に、夜間での避難時には、例えば、布団から起き上がってパジャマ姿のまま上記防災服Ｚを着用しても、上記上着服１によって身体の防寒性あるいは防災性が確保されるので、迅速で且つ安全性の高い避難が実現される。【００３４】  また、この場合、上記上着服１の背部１ａに上記収納バッグ２が一体的に取付けられていることから、避難者は何等迷うことなく上記上着服１の着用さえすれば良い。このため、避難者は、避難に際して精神的な余裕をもつことができ、延いては、避難経路における安全性にも十分に気を配って安全に避難することができる。【００３５】  さらに、この実施形態の防災服Ｚでは、上記収納バッグ２の上端部２ａと下端部２ｂの間に跨って上記ベルト３を取付けているので、上記収納バッグ２が上記上着服１の背部１ａに一体的に取付けられているにも拘わらず、該収納バッグ２に収納された防災用品等の重みは上記ベルト３を介して直接的に人の肩部分において支持することができ、例えば、防災用品等の重みによって上記上着服１がその背部１ａ側へ引き寄せられる、というようなことが未然に且つ確実に防止され、その結果、上記上着服１の安定した着心地が得られるとともに、迅速且つ安全な避難行動が確保される。【００３６】  さらに、この場合、上記ベルト３を、少なくとも上記上着服１の肩部１ｂより前側部位において該上着服１に固定しているので、上着服１を着用する場合においては、上記ベルト３の掛止位置を確認あるいは調整する必要がなく、より迅速に着用できるとともに、避難途中においては、上記ベルト３が肩部分から外れて上記上着服１に収納バッグ２側の重みが掛かるというようなことが確実に防止される。【００３７】  また、上記上着服１の腕部５４に反射テープ１６が取付けられていることで、夜間の避難時には、該反射テープ１６の光が目印となり、避難上の安全性も確保される。
【図面の簡単な説明】
【００３８】
【図１】  本願発明の実施形態に係る防災服の正面図である。
【図２】  本願発明の実施形態に係る防災服の側面図である。
【図３】  本願発明の実施形態に係る防災服の背面図である。
【符号の説明】
【００３９】  １    ・・上着服
２    ・・収納バッグ
３    ・・ベルト
１１    ・・ポケット
１２    ・・ポケット
１３    ・・ファスナー
１４    ・・貼着テープ
１５    ・・フード
２１    ・・本体部
２２    ・・ポケット
２３    ・・ポケット
３１    ・・肩掛部
３２    ・・張込部
３３    ・・調整具
３４    ・・固定部
【図１】
2007070781.tif 000003
【図２】
2007070781.tif 000004
【図３】
2007070781.tif 000005